(57)【要約】  【課題】  ２つの装置の組み合わせによって多様な音声や色を発することのできる発音装置を提供すること。  【解決手段】  本発明の発音装置では、ｎビットの第１アドレス及びｍビットの第２アドレスにおける各ビットにたてられた値によって、複数種類の音声選択アドレスを取得することができるので、種々の音声選択アドレスに応じた種々の音声が発音される。即ち、ユーザは、第１装置と第２装置とをいろいろ組み合わせることによって発音される種々の音声を聞いて楽しむことができる。また、第１装置及び第２装置にそれぞれ対応付けられた第１アドレス及び第２アドレスは、ユーザが一見して確認できる情報ではないので、第１装置と第２装置とがそれぞれ別々のユーザによって所有されている場合に、お互いの装置を組み合わせによって発音される音声が何かということを楽しむことができる。  【選択図】    図２
2006330079.tif 000002
【特許請求の範囲】
【請求項１】
電源を有する第１装置と、その第１装置との組み合わせによって電気回路が形成されて、前記電源から電力が供給されると、音声を発音する発音手段を有し、前記第１装置とは分離可能な第２装置とから構成される発音装置において、
前記第１装置と前記第２装置との組み合わせの結果として前記電源から電力が供給されると、前記第１装置に対応付けられたｎビットの第１アドレス（ｎは１以上の整数）と前記第２装置に対応付けられたｍビットの第２アドレス（ｍは１以上の整数）とから（ｎ＋ｍ）ビットの音声選択アドレスを取得する音声選択アドレス取得手段と、
前記音声選択アドレス毎に異なる音声を記憶する音声記憶手段と、
前記音声選択アドレス取得手段により取得された音声選択アドレスに対応する音声を、前記音声記憶手段に記憶されている音声の中から、前記発音手段から発音する音声として選択する音声選択手段を備えていることを特徴とする発音装置。
【請求項２】
前記第１装置及び前記第２装置のうちの少なくとも一方は、前記第１アドレス又は前記第２アドレスの固有値を記憶するアドレス記憶手段を備えていることを特徴とする請求項１記載の発音装置。
【請求項３】
前記第１装置及び前記第２装置のうちの少なくとも一方は、前記第１装置と前記第２装置との組み合わせの結果として前記電源から電力が供給されると、その都度、前記第１アドレス又は前記第２アドレスを可変的に設定するアドレス設定手段を備えていることを特徴とする請求項１又は２記載の発音装置。
【請求項４】
前記第１装置と前記第２装置との組み合わせの結果として前記電源から電力が供給されると単色で発光する、又は、複数の色を区別して発光できる発光体を備え、
その発光体は、前記第１アドレス又は前記第２アドレス、あるいは、前記音声選択アドレスに応じた点灯状態で発光することを特徴とする請求項１から３のいずれかに記載の発音装置。
【請求項５】
前記第１装置と前記第２装置との組み合わせの結果として前記電源から電力が供給されると単色で発光する、又は、複数の色を区別して発光できる発光体を備え、
前記発光体は、前記第１装置と前記第２装置とを組合わせた場合の外表面から視認される位置に設けられていることを特徴とする請求項１から４のいずれかに記載の発音装置。
【請求項６】
前記第１装置及び前記第２装置は、それぞれアクセサリーの形態であることを特徴とする請求項１から５のいずれかに記載の発音装置。
【発明の詳細な説明】
【技術分野】
【０００１】
本発明は、２つの装置の組合わせ方に応じた音声を発する発音装置に関する。
【背景技術】
【０００２】
従来より、２つの装置を対として組み合わせることによって所定の音声を発音する発音装置がある。ここで、図５は、そのような従来の発音装置１００を説明する図であり、図５（ａ）は、発音装置１００を構成する雄装置６０と雌装置８０とが分離された状態を示す模式的な断面図であり、図５（ｂ）は、雄装置６０と雌装置８０とが組み合わされて電気的に接続された状態を示す模式的な断面図である。
【０００３】
図５（ａ）に示すように、雌装置８０は、導電性材料によって器状に形成されたケース８１を備えている。そのケース８１の内側底部には、金属製のスプリング８５が設置されており、その上に２個のボタン電池８４が直列接続となるように積重されて配置されている。２個のボタン電池８４におけるスプリング８５とは反対側の端子（プラス端子）側には、外側に凸となるように撓んだ可撓性を有する樹脂製フィルム８３が設けられている。
【０００４】
この樹脂製フィルム８３は、導電性材料によって形成されたスイッチ８２を、常態において、その端部８２ａがボタン電池８４と離間されるように保持している。樹脂製フィルム８３は可撓性を有するので、スイッチ８２が矢印Ｘ方向に押下されると、樹脂製フィルム８３が撓み、端部８２ａとボタン電池８４とが接触される。
【０００５】
一方で、雄装置６０は、導電性材料によって器状に形成されたケース６１を備えている。そのケース６１の内部には、非図示の配線によって接続された基板６２とスピーカ６３と赤色発光ダイオード６４（以下、発光ダイオードは「ＬＥＤ」と称する）とが収納されている。また、ケース６１には、導電性材料から形成されたカバー６５が嵌め込まれている。このカバー６５は、ケース６１内に収納された基板６２やスピーカ６３を覆う一方で、開口部６５ａから赤色ＬＥＤ６４を露出する。
【０００６】
基板６２には、所定のデジタル音声が記録されている非図示のＩＣ（Integrated Circuit）が取り付けられている。ここで、上記した雄装置６０を、矢印Ｘ方向に雌装置８０に押し付けて、ケース６１とケース８１とを接触させると共に、スイッチ８２の端部８２ａをボタン電池８４に接触させると、図５（ｂ）に示すように、ボタン電池８４から電流Ｉが供給される電気回路が形成され、その結果として、基板６２上のＩＣ（非図示）に記憶されているデジタル音声が再生されてスピーカ６３から発音される。
【０００７】
また、上記のように雄装置６０と雌装置８０とを組み合わせて発音装置１００とした場合に、形成された電気回路を流れる電流Ｉによって、赤色ＬＥＤ６４が発光する。
【０００８】
一方で、発音装置には、上記のように２つの装置を対として組み合わせるのではなく、単体の装置のスイッチを入れた場合に、その単体の装置に記憶されている複数の音声の中の１つが選択されて発音されるものもある。
【発明の開示】
【発明が解決しようとする課題】
【０００９】
しかしながら、上記発音装置１００は、雄装置６０と雌装置８０との組み合わせによって雄装置６０に供給される電力（電流Ｉ）によって、基板６２上のＩＣ（非図示）に記憶されているデジタル音声が再生されるという構成であるために、スピーカ６３からは単一の音声しか発音されず、単調で面白味に欠けるという問題点があった。また、図５（ｂ）に示すように、雄装置６０と雌装置８０とを組み合わせた際に、赤色ＬＥＤ６４が発音装置１００の内側に隠れてしまうので、発光した色がユーザに見難く、ユーザに違和感や不快感を与えるという問題点があった。
【００１０】
また、単体の装置のスイッチを入れた場合に、複数の音声の中の１つが選択されて発音する装置の場合も、その装置から発音させる行為が自分自身で行う操作に限られるので、意外性や面白味に欠け、そのため、ユーザが飽きるのも早いという問題点があった。
【００１１】
本発明は、上述した問題点を解決するためになされたものであり、２つの装置の組み合わせによって多様な音声や色を発することのできる発音装置を提供することを目的としている。
【課題を解決するための手段】
【００１２】
この目的を達成するために、請求項１記載の発音装置は、電源を有する第１装置と、その第１装置との組み合わせによって電気回路が形成されて、前記電源から電力が供給されると、音声を発音する発音手段を有し、前記第１装置とは分離可能な第２装置とから構成されるものであって、前記第１装置と前記第２装置との組み合わせの結果として前記電源から電力が供給されると、前記第１装置に対応付けられたｎビットの第１アドレス（ｎは１以上の整数）と前記第２装置に対応付けられたｍビットの第２アドレス（ｍは１以上の整数）とから（ｎ＋ｍ）ビットの音声選択アドレスを取得する音声選択アドレス取得手段と、前記音声選択アドレス毎に異なる音声を記憶する音声記憶手段と、前記音声選択アドレス取得手段により取得された音声選択アドレスに対応する音声を、前記音声記憶手段に記憶されている音声の中から、前記発音手段から発音する音声として選択する音声選択手段を備えている。
【００１３】
請求項２記載の発音装置は、請求項１記載の発音装置において、前記第１装置及び前記第２装置のうちの少なくとも一方は、前記第１アドレス又は前記第２アドレスの固有値を記憶するアドレス記憶手段を備えている。
【００１４】
請求項３記載の発音装置は、請求項１又は２記載の発音装置において、前記第１装置及び前記第２装置のうちの少なくとも一方は、前記第１装置と前記第２装置との組み合わせの結果として前記電源から電力が供給されると、その都度、前記第１アドレス又は前記第２アドレスを可変的に設定するアドレス設定手段を備えている。
【００１５】
請求項４記載の発音装置は、請求項１から３のいずれかに記載の発音装置において、前記第１装置と前記第２装置との組み合わせの結果として前記電源から電力が供給されると単色で発光する、又は、複数の色を区別して発光できる発光体を備え、その発光体は、前記第１アドレス又は前記第２アドレス、あるいは、前記音声選択アドレスに応じた点灯状態で発光する。
【００１６】
請求項５記載の発音装置は、請求項１から４のいずれかに記載の発音装置において、前記第１装置と前記第２装置との組み合わせの結果として前記電源から電力が供給されると単色で発光する、又は、複数の色を区別して発光できる発光体を備え、前記発光体は、前記第１装置と前記第２装置とを組合わせた場合の外表面から視認される位置に設けられている。
【００１７】
請求項６記載の発音装置は、請求項１から５のいずれかに記載の発音装置において、前記第１装置及び前記第２装置は、それぞれアクセサリーの形態である。
【発明の効果】
【００１８】
請求項１記載の発音装置によれば、電源を有する第１装置とその第１装置とは分離可能な第２装置との組み合わせによって電気回路が形成され、その電気回路に電源から電力が供給された結果として、第１装置に対応付けられたｎビットの第１アドレス（ｎは１以上の整数）と第２装置に対応付けられたｍビットの第２アドレス（ｍは１以上の整数）とから（ｎ＋ｍ）ビットの音声選択アドレスが、音声選択アドレス取得手段によって取得される。そのように音声選択アドレス取得手段により音声選択アドレスが取得されると、音声選択アドレス毎に異なる音声を記憶する音声記憶手段に記憶されている音声の中から、取得された音声選択アドレスに対応する音声が、音声選択手段により選択される。そして、そのように選択された音声が、第２装置における発音手段から発音される。
【００１９】
よって、ｎビットの第１アドレス及びｍビットの第２アドレスにおける各ビットにたてられた値によって、複数種類の音声選択アドレスを取得することができるので、種々の音声選択アドレスに応じた種々の音声が発音される。即ち、ユーザは、第１装置と第２装置とをいろいろ組み合わせることによって発音される種々の音声を聞いて楽しむことができるという効果がある。
【００２０】
また、第１装置及び第２装置にそれぞれ対応付けられた第１アドレス及び第２アドレスは、ユーザが一見して確認できる情報ではないので、第１装置と第２装置とがそれぞれ別々のユーザによって所有されている場合に、お互いの装置を組み合わせによって発音される音声が何かということを楽しむことができるという効果がある。
【００２１】
また、２つの装置（第１装置及び第２装置）の組み合わせによって種々の音声が発音されるので、単体の装置であった場合には得ることのできない意外性をユーザに与えることができるという効果がある。よって、ユーザ（ユーザ達）の興味を長きに渡って引き続けることができるのである。
【００２２】
請求項２記載の発音装置によれば、請求項１記載の発音装置の奏する効果に加えて、第１装置及び第２装置のうちの少なくとも一方には、第１アドレス又は第２アドレスの固有値がアドレス記憶手段に記憶されているので、アドレス記憶手段に記憶される第１アドレス又は第２アドレスの固有値によって、対応する第１装置又は第２装置を特定することができるという効果がある。例えば、第１装置にアドレス記憶手段が設けられている場合には、そのアドレス記憶手段に記憶されている第１アドレスの固有値によって、第１装置をそれぞれ特定することができるのである。
【００２３】
その結果として、そのように各々特定された第１装置（又は第２装置）に対し、第２装置（又は第１装置）を組み合わせることによって得られる種々の音声選択アドレスに応じた種々の音声を聞くことができるという効果がある。
【００２４】
請求項３記載の発音装置によれば、請求項１又は２記載の発音装置の奏する効果に加えて、第１装置及び第２装置のうちの少なくとも一方には、第１装置と第２装置との組み合わせの結果として電源から電力が供給される毎に、アドレス設定手段によって、第１アドレス又は第２アドレスが可変的に設定されるので、第１装置と第２装置とを組み合わせる毎に、異なる第１アドレス又は第２アドレスによって第１装置又は第２装置が特定されるという効果がある。例えば、第１装置にアドレス設定手段が設けられている場合には、第２装置と組み合わせる毎に可変的に設定される第１アドレスによって第１装置が特定されることになる。
【００２５】
その結果として、組み合わせる毎に可変的に設定される第１アドレス（又は第２アドレス）によって特定される第１装置（又は第２装置）は、組み合わせる毎に発音される音声も可変性を有することになる。即ち、同一の第１装置と第２装置とについて、組み合わせたり分離させたりを繰り返した場合であっても、組み合わされる毎に発音する音声が変わることになるので、お互いの装置を組み合わせた場合に今回発音される音声が何かということを予想して楽しむことができるという効果がある。
【００２６】
請求項４記載の発音装置によれば、請求項１から３のいずれかに記載の発音装置の奏する効果に加えて、第１装置と第２装置との組み合わせの結果として電源から電力が供給されると、単色で発光する発光体、又は、複数の色を区別して発光できる発光体が、第１アドレス又は第２アドレス、あるいは、音声選択アドレスに応じた点灯状態で発光するという効果がある。
【００２７】
なお、この「点灯状態」には、発光する色や発光の状態（点滅、非点滅など）などが含まれる。一例としては、発光体が複数の色を区別して発光可能なものである場合において、その発光体が発光可能な各色で発光されることが各々「点灯状態」であり、別の例としては、発光体が点滅又は非点滅で発光することが各々「点灯状態」である。
【００２８】
よって、第１アドレスと第２アドレスとの組み合わせに応じて種々の音声が発音されるだけでなく、発光体が、第１アドレス又は第２アドレス、あるいは、第１アドレスと第２アドレスとから構成される音声選択アドレスに応じた点灯状態で発光されるので、聴覚的だけでなく視覚的にも種々の点灯状態（種々の色や、点滅など）を楽しむことができるという効果がある。
【００２９】
請求項５記載の発音装置によれば、請求項１から４のいずれかに記載の発音装置の奏する効果に加えて、発光体が、第１装置と第２装置とを組合わせた場合の外表面から視認される位置に設けられているので、発光体から発光される色をユーザが確実に視認でき、ユーザに与える視覚的な違和感を抑制できるという効果がある。
【００３０】
請求項６記載の発音装置によれば、請求項１から５のいずれかに記載の発音装置の奏する効果に加えて、第１装置及び第２装置が、それぞれ、ユーザが普段において持ち歩き易いアクセサリー（例えば、携帯電話用ストラップを初めとする各種ストラップや、キーホルダーや、ペンダントなど）の形態であるので、第１装置を持ち歩くユーザと、第２装置を持ち歩くユーザとが、気軽に互いの所有する装置を組み合わせることができ、それによって発音される種々の音声を楽しむことができるという効果がある。
【発明を実施するための最良の形態】
【００３１】
以下、本発明の好ましい実施例について、添付図面を参照して説明する。図１は、本発明における第１実施例の発音装置１の外観図である。図１に示すように、発音装置１は、携帯電話用のストラップ１０の飾り１１に埋め込まれている雄装置２０と雌装置４０とから構成される。
【００３２】
次に、図２を参照して、ストラップ１０の飾り１１に埋め込まれている雄装置２０及び雌装置４０の具体的構造について説明する。図２（ａ）は、発音装置１を構成する雄装置２０及び雌装置４０の模式的な断面図であり、図２（ｂ）は、雄装置２０及び雌装置４０の回路図である。
【００３３】
図２（ａ）に示すように、雌装置４０は、導電性材料によって器状に形成されたケース４１を備えている。そのケース４１の内側底部には、金属製のスプリングからなる接続端子４５が設置されており、この接続端子４５は、所定電圧（例えば、３Ｖ）を供給可能なボタン電池などのバッテリ４４のマイナス端子（非図示）と接触されている。
【００３４】
バッテリ４４における接続端子４５とは反対側には、非導電性の樹脂から構成されるスプリング４３が配置され、そのスプリング４３の他端には、その一部がスプリング４３の内周側に挿入されているスイッチ４２が配置されている。
【００３５】
このスイッチ４２は、導電性材料から形成され、スプリング４３の存在によって、常態ではその端部４２ａがバッテリ４４のプラス端子（非図示）とは離間されている。このスイッチ４２が、雄装置２０によって矢印Ｘ方向に押下されると、スプリング４３が収縮して端部４２ａがバッテリ４４のプラス端子（非図示）に接触される。そして、雄装置２０が取り外されると、スプリング４３の付勢力によって、バッテリ４４のプラス端子（非図示）に接触していた端部４２ａは、再びプラス端子から離間される。
【００３６】
また、接続端子４５におけるバッテリ４４と反対側は、基板４６に接続されている。この基板４６には、その雌装置４０に固有の３ビットのアドレスを第１アドレスとして記憶するアドレスメモリ５１が設けられている（図２（ｂ）参照）。即ち、雌装置４０は、このアドレスメモリ５１に記憶される３ビットの第１アドレスによって区別することができる。
【００３７】
一方で、雄装置２０は、導電性材料によって器状に形成されたケース２１を備えている。そのケース２１の内部には、非図示の配線によって接続された基板２２とスピーカ２３とが収納されている。また、ケース２１の背面（図２（ａ）における左側の面）からは、基板２２と非図示の配線によって接続された赤色ＬＥＤ２４が露出されている。また、ケース２１には、導電性材料から形成されたカバー２５が嵌め込まれており、このカバー２５によって、ケース２１内に収納された基板２２やスピーカ２３が覆われている。なお、基板２２には、その雄装置２０に固有の３ビットのアドレスを第２アドレスとして記憶するアドレスメモリ３１が設けられている（図２（ｂ）参照）。
【００３８】
雄装置２０と雌装置４０とを組み合わせて発音装置１とした場合、即ち、雄装置２０を、矢印Ｘ方向に雌装置４０に押し付けて、ケース２１とケース４１とを接触させると共に、スイッチ４２の端部４２ａをバッテリ４４と接触させると、図２（ｂ）に示すように、雄装置２０及び雌装置４０の各回路が点線Ａ〜Ｃによって結ばれて１の電気回路が形成される。その結果、発音装置１（雄装置２０及び雌装置４０）に、バッテリ４４から電力（電流）が供給されると、雌装置４０のアドレスメモリ５１に記憶されている第１アドレスが音声メモリ３２へ出力される。
【００３９】
同様に、雄装置２０及び雌装置４０の各回路が点線Ａ〜Ｃによって結ばれて１の電気回路を形成してバッテリ４４から電力が供給された場合に、アドレスメモリ３１に記憶されている第２アドレスが音声メモリ３２へ出力される。
【００４０】
音声メモリ３２は、第１アドレス及び第２アドレスが入力されると、上位３ビットに第１アドレスの値をたて、下位３ビットに第２アドレスの値をたてることによって、６ビットの音声選択アドレスとした上で（特許請求の範囲における「音声選択アドレス取得手段」に該当する）、その音声選択アドレスに対応する音声を選択し（特許請求の範囲における「音声選択手段」に該当する）、そして、選択した音声をスピーカ２３へ出力する。その結果として、スピーカ２３から音声選択アドレスに対応する音声が発音される。
【００４１】
第１アドレス及び第２アドレスはいずれも３ビットのデータであるので、それぞれ「０００」〜「１１１」までの８（＝２３）通りが存在する。よって、上位ビットが第１アドレスであり、下位ビットが第２アドレスである音声選択アドレスは、８×８＝６４通り存在することになる。従って、例えば、音声メモリ３２に記憶させる音声を６４種類とし、１の音声選択アドレスに対して１の音声を対応付けた場合には、最大６４種類の音声をスピーカ２３から発音させることができる。
【００４２】
また、本実施例の発音装置１において、雄装置２０及び雌装置４０の各回路が点線Ａ〜Ｃによって結ばれて１の電気回路を形成してバッテリ４４から電力が供給されると、赤色ＬＥＤ２４が点灯する。上記したように、赤色ＬＥＤ２４は、ケース２１の背面（図２（ａ）における左側の面）から露出されているので、ユーザは、赤色ＬＥＤ２４からの発光を確実に視認することができ、発光する光が見え難いことによって感じる違和感や不快感を抑制することができるのである。
【００４３】
以上説明したように、本実施例の発音装置１は、雌装置４０を特定する３ビットの固有値である第１アドレスと、雄装置２０を特定する３ビットの固有値である第２アドレスとの組み合わせによって、６４通りの音声選択アドレスを得ることができるので、複数の音声選択アドレスに応じた種々の音声を発音させることができる。
【００４４】
その結果として、ユーザは、雄装置２０と雌装置４０との組み合わせに応じて種々の音声を聞くことができるので、雄装置２０と雌装置４０とをいろいろ組み合わせた場合に発音される種々の音声（例えば、「相性度１００」「相性度０」など）を聞いて楽しむことができるのである。
【００４５】
また、アドレスメモリ５１に記憶され、雌装置４０を特定する第１アドレス、及び、アドレスメモリ３１に記憶され、雄装置２０を特定する第２アドレスは、いずれもユーザが一見して確認できる情報ではないので、雄装置２０と雌装置４０とを組み合わせた際に初めて、その組み合わせにおいて発音される音声を知ることができる。よって、例えば、雄装置２０及び雌装置４０が別々のユーザによって所有されていた場合に、お互いの装置２０，４０を組み合わせることによって発音される音声が何であるかということを予想しながら楽しむことができる。
【００４６】
また、本実施例の発音装置１は、種々の音声を発音させるために、２つの装置（雄装置２０及び雌装置４０）を組み合わせるので、発音装置が単体の装置であった場合には得ることのできない意外性を与えることができる。即ち、例えば、雄装置２０及び雌装置４０が別々のユーザによって所有された場合に、ユーザは、お互いの装置２０，４０を組み合わせることによって発音される音声が何であるかを簡単に予測することができない。よって、発音装置１に対するユーザ（ユーザ達）の興味を長きに渡って引き続けることが可能となる。
【００４７】
なお、雄装置２０及び雌装置４０は、ユーザが普段持ち歩き易いという観点から、上記において例示したストラップ１０（飾り１１）や、キーホルダーや、ペンダントなどのアクセサリーの形態であることが好ましい。このように、雄装置２０及び雌装置４０が、ユーザが普段において持ち歩く頻度の高いアクセサリーの形態であることにより、雄装置２０を備えるアクセサリー（本実施例では、ストラップ１０（飾り１１））を持ち歩くユーザと、雌装置４０を備えるアクセサリーを持ち歩くユーザとが、気軽に互いの所有する装置２０，４０を組み合わせ、それによって発音される種々の音声を楽しむことができる。
【００４８】
次に、図３を参照して、発音装置１の第２実施例について説明する。図３は、第２実施例の発音装置１における雄装置２０及び雌装置４０の回路図である。なお、この第２実施例において、上記した第１実施例と同一の部分には同一の符号を付して、その説明を省略する。
【００４９】
上記した第１実施例の発音装置１では、雌装置４０のアドレスメモリ５１に記憶される３ビットの固有値で構成される第１アドレスと、雄装置２０のアドレスメモリ３１に記憶される３ビットの固有値で構成される第２アドレスとを組み合わせて音声選択アドレスを得るように構成した。これに換えて、この第２実施例では、図３に示すように、雌装置４０及び雄装置２０に、それぞれ、３ビットのアドレスをランダム（可変的）に発生するアドレス発生回路５６及びアドレス発生回路３６を設ける。
【００５０】
アドレス発生回路５６及びアドレス発生回路３６はいずれも、図３に示すように、雄装置２０及び雌装置４０の各回路が点線Ａ〜Ｃによって結ばれて１の電気回路を形成し、バッテリ４４から電力が供給された場合に、３ビットのアドレス、即ち、「０００」から「１１１」までの８通りのアドレスの中の１つをランダムに発生する回路である。
【００５１】
そして、アドレス発生回路５６により発生されたアドレスは第１アドレスとして音声メモリ３２へ出力され、アドレス発生回路３６により発生されたアドレスは第２アドレスとして音声メモリ３２へ出力される。
【００５２】
第１アドレス及び第２アドレスが音声メモリ３２に入力されると、第１実施例と同様に、上位３ビットが第１アドレスであり、下位３ビットが第２アドレスである６ビットの音声選択アドレスが得られ、その音声選択アドレスに対応する音声をスピーカ２３へ出力する。その結果として、スピーカ２３から音声選択アドレスに対応する音声が発音される。
【００５３】
よって、アドレス発生回路５６によって、１の雌装置４０が「０００」から「１１１」までの８通りの第１アドレスの中の１つによってランダムに特定される。同様に、アドレス発生回路３６によって、１の雄装置２０が８通りの第２アドレスの中の１つによってランダムに特定される。
【００５４】
その結果、同一の雌装置４０と雄装置２０とを組み合わせたとしても、それらの装置２０，４０に電力が供給される毎に、６４種類の音声選択アドレスの中の１種類がランダムに形成されるので、その都度、異なる音声をスピーカ２３から発音させることができ、これらの装置２０，４０を組み合わせる毎に、今回発音される音声が何であるかということを予想しながら楽しむことができる。
【００５５】
また、図３に示すように、この第２実施例の発音装置１の雄装置２０には、赤色ＬＥＤ２４に換えて、異なる７色を区別して発色できる７色ＬＥＤ２８が設けられている。この７色ＬＥＤ２８は、アドレス発生回路３６に接続されており、アドレス発生回路３６においてランダムに発生された第２アドレスに応じた色を発光するように構成されている。即ち、７色ＬＥＤ２８は、雄装置２０に電力が供給される毎に、７色の中のいずれかの色をランダムに発光する。
【００５６】
よって、この第２実施例の発音装置１は、雌装置４０及び雄装置２０に電力が供給される毎にランダムに発生する第１アドレス及び第２アドレスの組み合わせに応じて種々の音声がスピーカ２３から発音されるだけでなく、７色ＬＥＤ２８が、ランダムに発生された第２アドレスに応じた色で発光するので、聴覚的のみならず視覚的にもユーザを楽しませることができる。
【００５７】
以上説明したように、第２実施例の発音装置１は、雌装置４０及び雄装置２０に電力が供給される毎に、第１アドレス及び第２アドレスをランダムに発生させるので、スピーカ２３から発音される音声や、７色ＬＥＤ２８から発光される色を、これらの装置２０，４０を組み合わせる毎にランダムに変更させることができる。その結果として、ユーザは、「今回発音される音声が何であるか」や「今回発光される色が何であるか」を予想する楽しみを享受することができる。
【００５８】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００５９】
例えば、上記実施例では、発音装置１における雄装置２０及び雌装置４０は、それぞれ、導電性材料によって器状に形成されたケース２１及びケース４１を備えており、これらのケース２１とケース４１とを接触させることによって、雄装置２０及び雌装置４０のそれぞれの回路から、発音装置１の回路を形成するように構成した。
【００６０】
このような、導電性材料から構成されるケース２１とケース４１との接触による電気回路の形成に換えて、図４に示すように、雄装置２０の基板２２に接続された端子３５を設けると共に、雌装置４０の基板４６に接続され、端子３５に対応する形状の端子５５を設けるように構成してもよい。なお、図４は、端子３５と端子５５とが接続される構成の発音装置１における雄装置２０及び雌装置４０の模式的な断面図である。また、図４において、上記した実施例と同一の部分には同一の符号を付して、その説明を省略する。
【００６１】
図４に示す発音装置１は、雄装置２０を、矢印Ｘ方向に雌装置４０に押し付けて、端子３５と端子５５とを接続すると共に、スイッチ４２の端部４２ａをバッテリ４４と接触させると、雄装置２０及び雌装置４０の各回路が点線Ａ〜Ｃによって結ばれて１の電気回路を形成し（図２（ｂ）又は図３参照）、第１アドレス及び第２アドレスに応じた音声がスピーカ２３から発音されると共に、赤色ＬＥＤ２４が発光する。
【００６２】
また、上記第１実施例の発音装置１では、第１アドレス及び第２アドレスはいずれも、それぞれがアドレスメモリ５１とアドレスメモリ３１に固有値として記憶されているアドレスであり、一方で、第２実施例の発音装置１では、第１アドレス及び第２アドレスはいずれも、それぞれがアドレス発生回路５６とアドレス発生回路３６からランダムに発生されるアドレスであるとして構成した。このように、雌装置４０を特定する第１アドレス及び雄装置２０を特定する第２アドレスは、雌装置４０と雄装置２０とで同じ設定方法を用いることに限定されず、例えば、第１アドレスがアドレスメモリ５１に記憶される固有値であり、第２アドレスがアドレス発生回路３６からランダムに発生されるアドレスであるように構成してもよい。
【００６３】
また、上記実施例では、第１アドレス及び第２アドレス共に３ビットのアドレスであるとして説明したが、その構成ビット数は３ビットに限定されるものではなく、３以外の数値（例えば、１ビット、２ビット、４以上の整数ビット）であってもよい。
【００６４】
例えば、第１アドレス及び第２アドレスがいずれも２ビットである場合には、音声選択アドレスは２２×２２＝１６種類存在することになり、また、第１アドレス及び第２アドレスがいずれも４ビットである場合には、音声選択アドレスは２４×２４＝２５６種類存在することになるので、その構成ビット数が大きいほど、発音可能な音声などの種類を豊富にすることができる。
【００６５】
また、第１アドレス及び第２アドレスの構成ビット数が同じであることに限定されるものではなく、第１アドレス及び第２アドレスの構成ビット数がそれぞれ異なるものであってもよい。
【００６６】
また、上記実施例では、上位３ビットに第１アドレスを設定し、下位３ビットに第２アドレスを設定することによって音声選択アドレスを得るように構成したが、上位３ビットに第２アドレスを設定し、下位３ビットに第１アドレスを設定するように構成してもよい。あるいは、第１アドレスの値に対応付けられた値と第２アドレスの値に対応付けられた値とから音声選択アドレスを得るように構成してもよい。
【００６７】
また、上記実施例では、７色ＬＥＤ２８が、第２アドレスに応じた色を発光するものとして構成したが、音声選択アドレスや第１アドレスに応じた色を発光するように構成してもよい。
【００６８】
また、上記実施例では、赤色ＬＥＤ２４又は７色ＬＥＤ２８を雄装置２０側にのみ設けるよううに構成したが、雌装置４０に設けるように構成してもよい。もちろん、雄装置２０及び雌装置４０の両方に赤色ＬＥＤ２４又は７色ＬＥＤ２８を設けるように構成してもよい。ここで、雌装置４０に７色ＬＥＤ２８を設けた場合、第１アドレスや、音声選択アドレスや第２アドレスに応じた色が７色ＬＥＤ２８から発光されるように構成してもよい。
【００６９】
また、上記第２実施例では、第２アドレスに応じた色が７色ＬＥＤ２８から発光されるように構成したが、第２アドレスに応じて異なったタイミングで点滅させるなど、第２アドレスに応じて点灯状態を変化させるものであってもよい。このように点滅タイミングを変化させる場合には、７色ＬＥＤ２８ではなく、赤色ＬＥＤ２４のような単色のＬＥＤであっても視覚的にユーザを楽しませることができる。また、発光色と点滅タイミングなどを組み合わせるように構成してもよい。
【００７０】
また、上記第２実施例では、複数の色を区別して発光できる発光体として７色ＬＥＤ２８を例示したが、これに限定されるものではなく、２色ＬＥＤや３色ＬＥＤなどであってもよい。
【図面の簡単な説明】
【００７１】
【図１】本発明における第１実施例の発音装置の外観図である。
【図２】（ａ）は、発音装置を構成する雄装置及び雌装置の模式的な断面図であり、（ｂ）は、雄装置及び雌装置の回路図である。
【図３】第２実施例の発音装置における雄装置及び雌装置の回路図である。
【図４】本発明の発音装置の変形例における雄装置及び雌装置の模式的な断面図である。
【図５】（ａ）は、従来の発音装置を構成する雄装置と雌装置とが分離された状態を示す模式的な断面図であり、（ｂ）は、雄装置と雌装置とが組み合わされて電気的に接続された状態を示す模式的な断面図である。
【符号の説明】
【００７２】
１            発音装置
２０          雄装置（第２装置）
２３          スピーカ（発音手段）
２４          赤色ＬＥＤ（発光体）
２８          ７色ＬＥＤ（発光体）
３１          アドレスメモリ（アドレス記憶手段）
３２          音声メモリ（音声記憶手段）
３６          アドレス発生回路（アドレス設定手段）
４０          雌装置（第１装置）
４４          バッテリ（電源）
５１          アドレスメモリ（アドレス記憶手段）
５６          アドレス発生回路（アドレス設定手段）
【図１】
2006330079.tif 000003
【図２】
2006330079.tif 000004
【図３】
2006330079.tif 000005
【図４】
2006330079.tif 000006
【図５】
2006330079.tif 000007